(57)【要約】  回線交換フォールバック（ＣＳＦＢ）は、ロングタームエボリューション（ＬＴＥ）ネットワークにおいてモバイルがキャンピングされるときにモバイルに音声サービスを配信するための技法である。これは、ＬＴＥネットワークが音声サービスをネイティブにサポートしないときに必要とされ得る。ＬＴＥネットワークおよび３ＧＰＰ  ＣＳネットワーク（たとえば、ＵＭＴＳまたはＧＳＭ）は、トンネルインターフェースを使用して接続され得る。ＵＥは、トンネルインターフェースを介してメッセージを３ＧＰＰ  ＣＳコアネットワークと交換することによって、ＬＴＥネットワーク上にある間に、３ＧＰＰ  ＣＳネットワークに登録し得る。ユーザがモバイル終端（ＭＴ）呼を受信すると、ＵＥは、呼設定手順を開始することによって、その呼のためにＵＥが離れつつあることをＬＴＥネットワークに通知し得る。しかしながら、呼設定手順が失敗し得る場合があり得る。たとえば、ＵＥは３ＧＰＰ  ＣＳネットワークに移動され得ないか、またはＵＥは３ＧＰＰ  ＣＳネットワークに移動され得るが、呼がそこで失敗し得る。したがって、本開示のいくつかの態様は、失敗した呼の指示をユーザに与えるための技法を提供する。【選択図】      図５
2013538536.tif 000002
【特許請求の範囲】
【請求項１】
第１および第２の無線アクセス技術（ＲＡＴ）を介して通信することが可能なユーザ機器（ＵＥ）におけるワイヤレス通信のための方法であって、前記方法が、
前記第１のＲＡＴを介してサービスを受信することと、
前記第１のＲＡＴを介して、前記ＵＥをターゲットにする呼のためのページングメッセージを受信することと、
前記ページングメッセージを受信することに応答して呼設定手順を開始することと、
前記呼設定手順が失敗したと判断することと、
前記判断に応答して不在呼の指示を与えることと
を備える、方法。
【請求項２】
前記指示が、前記不在呼の発呼者回線識別（ＣＬＩ）情報を備える、請求項１に記載の方法。
【請求項３】
前記ページングメッセージが前記ＣＬＩ情報を備える、請求項２に記載の方法。
【請求項４】
前記呼設定手順が、前記呼のために前記第１のＲＡＴのノードＢを離れることを備える、請求項１に記載の方法。
【請求項５】
前記呼設定手順が、前記第１のＲＡＴから前記第２のＲＡＴに遷移することを備える、請求項１に記載の方法。
【請求項６】
前記第１のＲＡＴがＬｏｎｇ−Ｔｅｒｍ  Ｅｖｏｌｕｔｉｏｎ（ＬＴＥ）を備える、請求項１に記載の方法。
【請求項７】
前記第２のＲＡＴが、符号分割多元接続（ＣＤＭＡ）ＲＡＴと、Ｇｌｏｂａｌ  Ｓｙｓｔｅｍ  ｆｏｒ  Ｍｏｂｉｌｅ（ＧＳＭ）ＲＡＴと、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）ＲＡＴとのうちの少なくとも１つを備える、請求項１に記載の方法。
【請求項８】
第１および第２の無線アクセス技術（ＲＡＴ）を介して通信することが可能なユーザ機器（ＵＥ）におけるワイヤレス通信のための装置であって、前記装置が、
前記第１のＲＡＴを介してサービスを受信するための手段と、
前記第１のＲＡＴを介して、前記ＵＥをターゲットにする呼のためのページングメッセージを受信するための手段と、
前記ページングメッセージを受信することに応答して呼設定手順を開始するための手段と、
前記呼設定手順が失敗したと判断するための手段と、
前記判断に応答して不在呼の指示を与えるための手段と
を備える、装置。
【請求項９】
前記指示が、前記不在呼の発呼者回線識別（ＣＬＩ）情報を備える、請求項８に記載の装置。
【請求項１０】
前記ページングメッセージが前記ＣＬＩ情報を備える、請求項９に記載の装置。
【請求項１１】
前記呼設定手順が、前記呼のために前記第１のＲＡＴのノードＢを離れることを備える、請求項８に記載の装置。
【請求項１２】
前記呼設定手順が、前記第１のＲＡＴから前記第２のＲＡＴに遷移することを備える、請求項８に記載の装置。
【請求項１３】
前記第１のＲＡＴがＬｏｎｇ−Ｔｅｒｍ  Ｅｖｏｌｕｔｉｏｎ（ＬＴＥ）を備える、請求項８に記載の装置。
【請求項１４】
前記第２のＲＡＴが、符号分割多元接続（ＣＤＭＡ）ＲＡＴと、Ｇｌｏｂａｌ  Ｓｙｓｔｅｍ  ｆｏｒ  Ｍｏｂｉｌｅ（ＧＳＭ）ＲＡＴと、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）ＲＡＴとのうちの少なくとも１つを備える、請求項８に記載の装置。
【請求項１５】
第１および第２の無線アクセス技術（ＲＡＴ）を介して通信することが可能なユーザ機器（ＵＥ）におけるワイヤレス通信のための装置であって、前記装置が、
前記第１のＲＡＴを介してサービスを受信することと、
前記第１のＲＡＴを介して、前記ＵＥをターゲットにする呼のためのページングメッセージを受信することと、
前記ページングメッセージを受信することに応答して呼設定手順を開始することと、
前記呼設定手順が失敗したと判断することと、
前記判断に応答して不在呼の指示を与えることと
を行うように構成された少なくとも１つプロセッサと、
前記少なくとも１つのプロセッサに結合されたメモリと
を備える、装置。
【請求項１６】
前記指示が、前記不在呼の発呼者回線識別（ＣＬＩ）情報を備える、請求項１５に記載の装置。
【請求項１７】
前記ページングメッセージが前記ＣＬＩ情報を備える、請求項１６に記載の装置。
【請求項１８】
前記呼設定手順が、前記呼のために前記第１のＲＡＴのノードＢを離れることを備える、請求項１５に記載の装置。
【請求項１９】
前記呼設定手順が、前記第１のＲＡＴから前記第２のＲＡＴに遷移することを備える、請求項１５に記載の装置。
【請求項２０】
前記第１のＲＡＴがＬｏｎｇ−Ｔｅｒｍ  Ｅｖｏｌｕｔｉｏｎ（ＬＴＥ）を備える、請求項１５に記載の装置。
【請求項２１】
前記第２のＲＡＴが、符号分割多元接続（ＣＤＭＡ）ＲＡＴと、Ｇｌｏｂａｌ  Ｓｙｓｔｅｍ  ｆｏｒ  Ｍｏｂｉｌｅ（ＧＳＭ）ＲＡＴと、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）ＲＡＴとのうちの少なくとも１つを備える、請求項１５に記載の装置。
【請求項２２】
第１および第２の無線アクセス技術（ＲＡＴ）を介して通信することが可能なユーザ機器（ＵＥ）におけるワイヤレス通信のためのコンピュータプログラム製品であって、前記コンピュータプログラム製品が、
前記第１のＲＡＴを介してサービスを受信することと、
前記第１のＲＡＴを介して、前記ＵＥをターゲットにする呼のためのページングメッセージを受信することと、
前記ページングメッセージを受信することに応答して呼設定手順を開始することと、
前記呼設定手順が失敗したと判断することと、
前記判断に応答して不在呼の指示を与えることと
を行うための、１つまたは複数のプロセッサによって実行可能な命令を記憶したコンピュータ可読媒体
を備える、コンピュータプログラム製品。
【請求項２３】
前記指示が、前記不在呼の発呼者回線識別（ＣＬＩ）情報を備える、請求項２２に記載のコンピュータプログラム製品。
【請求項２４】
前記ページングメッセージが前記ＣＬＩ情報を備える、請求項２３に記載のコンピュータプログラム製品。
【請求項２５】
前記呼設定手順が、前記呼のために前記第１のＲＡＴのノードＢを離れることを備える、請求項２２に記載のコンピュータプログラム製品。
【請求項２６】
前記呼設定手順が、前記第１のＲＡＴから前記第２のＲＡＴに遷移することを備える、請求項２２に記載のコンピュータプログラム製品。
【請求項２７】
前記第１のＲＡＴがＬｏｎｇ−Ｔｅｒｍ  Ｅｖｏｌｕｔｉｏｎ（ＬＴＥ）を備える、請求項２２に記載のコンピュータプログラム製品。
【請求項２８】
前記第２のＲＡＴが、符号分割多元接続（ＣＤＭＡ）ＲＡＴと、Ｇｌｏｂａｌ  Ｓｙｓｔｅｍ  ｆｏｒ  Ｍｏｂｉｌｅ（ＧＳＭ）ＲＡＴと、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）ＲＡＴとのうちの少なくとも１つを備える、請求項２２に記載のコンピュータプログラム製品。
【発明の詳細な説明】
【技術分野】
【０００１】
関連出願の相互参照 
本出願は、その全体が参照により本明細書に明確に組み込まれる、２０１０年９月１４日に出願された米国仮出願第６１／３８２，７１１号の優先権を主張する。
【０００２】
本開示の態様は、一般にワイヤレス通信に関し、より詳細には、回線交換フォールバック（ＣＳＦＢ：circuit-switched fallback）ユーザエクスペリエンスを改善するための技法に関する。
【背景技術】
【０００３】
ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ユーザ機器（ＵＥ）は複数のワイヤレスネットワークのカバレージ内に位置し得、異なる通信サービスをサポートし得る。１つまたは複数の基準に基づいてＵＥをサービスするために、好適なワイヤレスネットワークが選択され得る。選択されたワイヤレスネットワークは、所望の通信サービス（たとえば、音声サービス）をＵＥに提供することができないことがある。その場合、ＵＥを、所望の通信サービスを提供することができる別のワイヤレスネットワークにリダイレクトするために、手順のセットが実行され得る。
【発明の概要】
【０００５】
本開示の一態様では、ワイヤレス通信のための方法が提供される。本方法は、概して、第１および第２の無線アクセス技術（ＲＡＴ）を介して通信することが可能なユーザ機器（ＵＥ）において、第１のＲＡＴを介してサービスを受信することと、第１のＲＡＴを介して、ＵＥをターゲットにする呼のためのページングメッセージを受信することと、ページングメッセージを受信することに応答して呼設定手順を開始することと、呼設定手順が失敗したと判断することと、その判断に応答して不在呼の指示を与えることとを含む。
【０００６】
本開示のいくつかの態様は、第１および第２のＲＡＴを介して通信することが可能なＵＥにおけるワイヤレス通信のための装置を提供する。本装置は、概して、第１のＲＡＴを介してサービスを受信するための手段と、第１のＲＡＴを介して、ＵＥをターゲットにする呼のためのページングメッセージを受信するための手段と、ページングメッセージを受信することに応答して呼設定手順を開始するための手段と、呼設定手順が失敗したと判断するための手段と、その判断に応答して不在呼の指示を与えるための手段とを含む。
【０００７】
本開示のいくつかの態様は、第１および第２のＲＡＴを介して通信することが可能なＵＥにおけるワイヤレス通信のための装置を提供する。本装置は、概して、第１のＲＡＴを介してサービスを受信することと、第１のＲＡＴを介して、ＵＥをターゲットにする呼のためのページングメッセージを受信することと、ページングメッセージを受信することに応答して呼設定手順を開始することと、呼設定手順が失敗したと判断することと、その判断に応答して不在呼の指示を与えることとを行うように構成された少なくとも１つのプロセッサと、少なくとも１つのプロセッサに結合されたメモリとを含む。
【０００８】
本開示のいくつかの態様は、第１および第２のＲＡＴを介して通信することが可能なＵＥにおけるワイヤレス通信のためのコンピュータプログラム製品を提供する。本コンピュータプログラム製品は、命令を記憶したコンピュータ可読媒体を備える。本命令は、概して、第１のＲＡＴを介してサービスを受信することと、第１のＲＡＴを介して、ＵＥをターゲットにする呼のためのページングメッセージを受信することと、ページングメッセージを受信することに応答して呼設定手順を開始することと、呼設定手順が失敗したと判断することと、その判断に応答して不在呼の指示を与えることとを行うための１つまたは複数のプロセッサによって実行可能である。
【図面の簡単な説明】
【０００９】
本開示の上述の特徴を詳細に理解することができるように、添付の図面にその一部を示す態様を参照することによって、上記で簡単に要約したより具体的な説明が得られ得る。ただし、その説明は他の等しく有効な態様に通じ得るので、添付の図面は、本開示のいくつかの典型的な態様のみを示し、したがって、その範囲を限定するものと見なすべきではないことに留意されたい。
【図１】複数のワイヤレスネットワークが重複するカバレージを有する例示的な展開を示す図。
【図２】ユーザ機器（ＵＥ）と他のネットワークエンティティとのブロック図。
【図３】本開示のいくつかの態様による、ＵＥがモバイル発信（ＭＯ：mobile originating）呼を行うときの、回線交換フォールバック（ＣＳＦＢ）の例示的なコールフローを示す図。
【図４】本開示のいくつかの態様による、ＵＥがモバイル終端（ＭＴ：mobile terminating）呼を受信するときの、ＣＳＦＢの例示的なコールフローを示す図。
【図５】本開示のいくつかの態様による、ＭＴ  ＣＳＦＢ呼の失敗時に不在呼の指示を与えることが可能な、発展型ノードＢ（ｅＮＢ）とＵＥとをもつ例示的なシステムを示す図。
【図６】本開示のいくつかの態様による、ＭＴ  ＣＳＦＢ呼の失敗時に不在呼の指示を与えるための例示的な動作を示す図。
【発明を実施するための形態】
【００１０】
回線交換フォールバック（ＣＳＦＢ）は、ロングタームエボリューション（ＬＴＥ）ネットワークにおいてモバイルがキャンピングされるときにモバイルに音声サービスを配信するための技法である。これは、ＬＴＥネットワークが音声サービスをネイティブにサポートしないときに必要とされ得る。ＬＴＥネットワークおよび３ＧＰＰ（登録商標）  ＣＳネットワーク（たとえば、ＵＭＴＳまたはＧＳＭ（登録商標））は、トンネルインターフェースを使用して接続され得る。ＵＥは、トンネルインターフェースを介してメッセージを３ＧＰＰ  ＣＳコアネットワークと交換することによって、ＬＴＥネットワーク上にある間に、３ＧＰＰ  ＣＳネットワークに登録し得る。ユーザがモバイル発信（ＭＯ）呼を行うか、またはモバイル終端（ＭＴ）呼を受信すると、ＵＥは、呼設定手順を開始することによって、その呼のためにＵＥが離れつつあることをＬＴＥネットワークに通知し得る。しかしながら、呼設定手順が失敗し得る場合があり得る。たとえば、ＵＥは３ＧＰＰ  ＣＳネットワークに移動され得ないか、またはＵＥは３ＧＰＰ  ＣＳネットワークに移動され得るが、呼がそこで失敗し得る。したがって、本開示のいくつかの態様は、失敗した呼の指示をユーザに与えるための技法を提供する。
【００１１】
本明細書で説明する技法は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）および他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ）、ｃｄｍａ２０００などの無線アクセス技術（ＲＡＴ）を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＩＳ−２０００は、１ｘ無線伝送技術（１ｘＲＴＴ）、ＣＤＭＡ２０００  １Ｘなどとも呼ばれる。ＴＤＭＡネットワークは、ｇｌｏｂａｌ  ｓｙｓｔｅｍ  ｆｏｒ  ｍｏｂｉｌｅ  ｃｏｍｍｕｎｉｃａｔｉｏｎｓ（ＧＳＭ）（登録商標）、ＧＳＭ進化型高速データレート（ＥＤＧＥ：enhanced data rates for GSM evolution）、またはＧＳＭ／ＥＤＧＥ無線アクセスネットワーク（ＧＥＲＡＮ）などのＲＡＴを実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などのＲＡＴを実装し得る。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本明細書で説明する技法は、上記のワイヤレスネットワークおよびＲＡＴ、ならびに他のワイヤレスネットワークおよびＲＡＴのために使用され得る。
【００１２】
図１に、複数のワイヤレスネットワークが重複するカバレージを有する例示的な展開を示す。発展型ユニバーサル地上波無線アクセスネットワーク（Ｅ−ＵＴＲＡＮ）１２０は、ＬＴＥをサポートし得、いくつかの発展型ノードＢ（ｅＮＢ）１２２と、ユーザ機器（ＵＥ）のためのワイヤレス通信をサポートすることができる他のネットワークエンティティとを含み得る。各ｅＮＢは、特定の地理的エリアに通信カバレージを提供し得る。「セル」という用語は、このカバレージエリアにサービスするｅＮＢおよび／またはｅＮＢサブシステムのカバレージエリアを指すことができる。サービングゲートウェイ（Ｓ−ＧＷ）１２４は、Ｅ−ＵＴＲＡＮ１２０と通信し得、パケットルーティングおよびフォワーディング、モビリティアンカリング、パケットバッファリング、ネットワークトリガされたサービスの開始などの様々な機能を実行し得る。モビリティ管理エンティティ（ＭＭＥ）１２６は、Ｅ−ＵＴＲＡＮ１２０およびサービングゲートウェイ１２４と通信し得、モビリティ管理、ベアラ管理、ページングメッセージの配信、セキュリティ制御、認証、ゲートウェイ選択などの様々な機能を実行し得る。ＬＴＥにおけるネットワークエンティティは、公開されている「Evolved Universal Terrestrial Radio Access (E-UTRA) and Evolved Universal Terrestrial Radio Access Network (E-UTRAN); Overall description」と題する３ＧＰＰ  ＴＳ３６．３００に記載されている。
【００１３】
無線アクセスネットワーク（ＲＡＮ）１３０は、ＧＳＭをサポートし得、いくつかの基地局１３２と、ＵＥのためのワイヤレス通信をサポートすることができる他のネットワークエンティティとを含み得る。モバイル交換センター（ＭＳＣ）１３４は、ＲＡＮ１３０と通信し得、音声サービスをサポートし、回線交換呼のルーティングを行い、ＭＳＣ１３４によってサービスされるエリア内に位置するＵＥのモビリティ管理を実行し得る。場合によっては、相互作用機能（ＩＷＦ：Inter-Working Function）１４０は、（たとえば、１ｘＣＳＦＢのための）ＭＭＥ１２６とＭＳＣ１３４との間の通信を可能にし得る。
【００１４】
Ｅ−ＵＴＲＡＮ１２０、サービングゲートウェイ１２４、およびＭＭＥ１２６は、ＬＴＥネットワーク１０２の一部であり得る。ＲＡＮ１３０およびＭＳＣ１３４は、ＧＳＭネットワーク１０４の一部であり得る。簡単のために、図１には、ＬＴＥネットワーク１０２およびＧＳＭネットワーク１０４中のいくつかのネットワークエンティティのみを示す。ＬＴＥおよびＧＳＭネットワークは、様々な機能およびサービスをサポートし得る他のネットワークエンティティをも含み得る。
【００１５】
概して、任意の数のワイヤレスネットワークが所与の地理的エリア中に展開され得る。各ワイヤレスネットワークは、特定のＲＡＴをサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。
【００１６】
ＵＥ１１０は、固定でも移動でもよく、移動局、端末、アクセス端末、加入者ユニット、局などと呼ばれることもある。ＵＥ１１０は、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局などであり得る。
【００１７】
電源投入時に、ＵＥ１１０は、通信サービスを受信することができるワイヤレスネットワークを探索し得る。２つ以上のワイヤレスネットワークが検出された場合、ＵＥ１１０をサービスするために、最高優先順位をもつワイヤレスネットワークが選択され得、サービングネットワークと呼ばれることがある。ＵＥ１１０は、必要な場合、サービングネットワークへの登録を実行し得る。ＵＥ１１０は、次いで、サービングネットワークとアクティブ通信するために接続モードで動作し得る。代替的に、ＵＥ１１０は、アクティブ通信がＵＥ１１０によって必要とされない場合、アイドルモードで動作し、サービングネットワークにキャンプオンし得る。
【００１８】
ＵＥ１１０は、アイドルモードにある間、複数の周波数および／または複数のＲＡＴのセルのカバレージ内に位置し得る。ＬＴＥでは、ＵＥ１１０は、優先順位リストに基づいてキャンプオンするために周波数とＲＡＴとを選択し得る。この優先順位リストは、周波数のセットと、各周波数に関連するＲＡＴと、各周波数の優先順位とを含み得る。たとえば、優先順位リストは、３つの周波数Ｘ、ＹおよびＺを含み得る。周波数Ｘは、ＬＴＥのために使用され得、最高優先順位を有し得、周波数Ｙは、ＧＳＭのために使用され得、最低優先順位を有し得、周波数Ｚも、ＧＳＭのために使用され得、中間優先順位を有し得る。概して、優先順位リストは、ＲＡＴの任意のセットのための任意の数の周波数を含み得、ＵＥロケーションに固有であり得る。ＵＥ１１０は、たとえば、上記の例によって与えられたように、ＬＴＥ周波数が最高優先順位にあり、他のＲＡＴのための周波数がより低い優先順位にある優先順位リストを定義することによって、利用可能なときに、ＬＴＥを選好するように構成され得る。
【００１９】
ＵＥ１１０は、次のようにアイドルモードで動作し得る。ＵＥ１１０は、標準シナリオにおいて「好適な」セルを見つけることが可能であるか、または緊急シナリオにおいて「許容できる」セルを見つけることが可能であるすべての周波数／ＲＡＴを識別し得、ただし、「好適である」および「許容できる」は、ＬＴＥ規格において指定されている。ＵＥ１１０は、次いで、すべての識別された周波数／ＲＡＴの中で最高優先順位をもつ周波数／ＲＡＴにキャンプオンし得る。ＵＥ１１０は、（ｉ）周波数／ＲＡＴが所定のしきい値においてもはや利用可能でないか、または（ｉｉ）より高い優先順位をもつ別の周波数／ＲＡＴがこのしきい値に達するかのいずれかまで、この周波数／ＲＡＴにキャンプオンしたままであり得る。アイドルモードにあるＵＥ１１０のためのこの動作挙動は、公開されている「Evolved Universal Terrestrial Radio Access (E-UTRA);User Equipment (UE) procedures in idle mode」と題する３ＧＰＰ  ＴＳ３６．３０４に記載されている。
【００２０】
ＵＥ１１０は、ＬＴＥネットワーク１０２からパケット交換（ＰＳ）データサービスを受信することが可能であり得、アイドルモードにある間にＬＴＥネットワークにキャンプオンし得る。ＬＴＥネットワーク１０２は、ボイスオーバーインターネットプロトコル（ＶｏＩＰ）の制限されたサポートを有し得るか、またはＶｏＩＰのサポートを有し得ず、それは、しばしばＬＴＥネットワークの初期展開の場合であり得る。制限されたＶｏＩＰサポートにより、ＵＥ１１０は、音声呼のために別のＲＡＴの別のワイヤレスネットワークに転送され得る。この転送は回線交換（ＣＳ）フォールバックと呼ばれることがある。ＵＥ１１０は、１ｘＲＴＴ、ＷＣＤＭＡ、ＧＳＭなどの音声サービスをサポートすることができるＲＡＴに転送され得る。ＣＳフォールバックを用いた呼発信の場合、ＵＥ１１０は、初めに、音声サービスをサポートし得ないソースＲＡＴ（たとえば、ＬＴＥ）のワイヤレスネットワークに接続されるようになり得る。ＵＥは、このワイヤレスネットワークを用いて音声呼を発信し得、上位レイヤシグナリングによって、音声呼をサポートすることができるターゲットＲＡＴの別のワイヤレスネットワークに転送され得る。ＵＥをターゲットＲＡＴに転送するための上位レイヤシグナリングは、様々な手順、たとえば、リダイレクションを用いた接続解放、ＰＳハンドオーバなどのためのものであり得る。
【００２１】
図２に、図１のＵＥ１１０、ｅＮＢ１２２、およびＭＭＥ１２６の設計のブロック図を示す。ＵＥ１１０において、エンコーダ２１２は、アップリンク上で送信すべきトラフィックデータおよびシグナリングメッセージを受信し得る。エンコーダ２１２は、トラフィックデータおよびシグナリングメッセージを処理（たとえば、フォーマット、符号化、およびインターリーブ）し得る。変調器（Ｍｏｄ）２１４は、符号化トラフィックデータおよびシグナリングメッセージをさらに処理（たとえば、シンボルマッピングおよび変調）し、出力サンプルを与え得る。送信機（ＴＭＴＲ）２２２は、出力サンプルを調整（たとえば、アナログ変換、フィルタ処理、増幅、および周波数アップコンバート）し、アップリンク信号を生成し、アップリンク信号はアンテナ２２４を介してｅＮＢ１２２に送信され得る。
【００２２】
ダウンリンク上で、アンテナ２２４は、ｅＮＢ１２２および／または他のｅＮＢ／基地局によって送信されたダウンリンク信号を受信し得る。受信機（ＲＣＶＲ）２２６は、アンテナ２２４からの受信信号を調整（たとえば、フィルタ処理、増幅、周波数ダウンコンバート、およびデジタル化）し、入力サンプルを与え得る。復調器（Ｄｅｍｏｄ）２１６は、入力サンプルを処理（たとえば、復調）し、シンボル推定値を与え得る。デコーダ２１８は、シンボル推定値を処理（たとえば、デインターリーブおよび復号）し、ＵＥ１１０に送信される復号データおよびシグナリングメッセージを与え得る。エンコーダ２１２、変調器２１４、復調器２１６、およびデコーダ２１８はモデムプロセッサ２１０によって実装され得る。これらのユニットは、ＵＥ１１０が通信中であるワイヤレスネットワークによって使用されるＲＡＴ（たとえば、ＬＴＥ、１ｘＲＴＴなど）に従って処理を実行し得る。
【００２３】
コントローラ／プロセッサ２３０は、ＵＥ１１０において動作を指示し得る。コントローラ／プロセッサ２３０はまた、本明細書で説明する技法の他のプロセスを実行または指示し得る。コントローラ／プロセッサ２３０はまた、図３および図４のＵＥ１１０による処理を実行または指示し得る。メモリ２３２は、ＵＥ１１０のプログラムコードおよびデータを記憶し得る。メモリ２３２はまた、優先順位リストと構成情報とを記憶し得る。
【００２４】
ｅＮＢ１２２において、送信機／受信機２３８は、ＵＥ１１０および他のＵＥとの無線通信をサポートし得る。コントローラ／プロセッサ２４０は、ＵＥとの通信のための様々な機能を実行し得る。アップリンク上では、ＵＥ１１０からのアップリンク信号は、アンテナ２３６を介して受信され、受信機２３８によって調整され、さらにコントローラ／プロセッサ２４０によって処理されて、ＵＥ１１０によって送られたトラフィックデータおよびシグナリングメッセージが回復され得る。ダウンリンク上では、トラフィックデータおよびシグナリングメッセージは、コントローラ／プロセッサ２４０によって処理され、送信機２３８によって調整されて、ダウンリンク信号が生成され、ダウンリンク信号はアンテナ２３６を介してＵＥ１１０および他のＵＥに送信され得る。コントローラ／プロセッサ２４０はまた、本明細書で説明する技法の他のプロセスを実行または指示し得る。コントローラ／プロセッサ２４０はまた、図３および図４のｅＮＢ１２２による処理を実行または指示し得る。メモリ２４２は、基地局のプログラムコードおよびデータを記憶し得る。通信（Ｃｏｍｍ）ユニット２４４は、ＭＭＥ１２６および／または他のネットワークエンティティとの通信をサポートし得る。
【００２５】
ＭＭＥ１２６において、コントローラ／プロセッサ２５０は、ＵＥの通信サービスをサポートするために様々な機能を実行し得る。コントローラ／プロセッサ２５０はまた、図３および図４のＭＭＥ１２６による処理を実行または指示し得る。メモリ２５２は、ＭＭＥ１２６のプログラムコードおよびデータを記憶し得る。通信ユニット２５４は、他のネットワークエンティティとの通信をサポートし得る。
【００２６】
図２に、ＵＥ１１０、ｅＮＢ１２２、およびＭＭＥ１２６の簡略化された設計を示す。一般に、各エンティティは、任意の数の送信機、受信機、プロセッサ、コントローラ、メモリ、通信ユニットなどを含み得る。他のネットワークエンティティは同様の方法でも実装され得る。
【００２７】
図３に、本開示のいくつかの態様による、ＵＥ１１０がモバイル発信（ＭＯ）呼を行うときの、ＣＳＦＢの例示的なコールフローを示す。ＵＥ１１０が、音声サービスをサポートし得ないＬＴＥネットワーク（ｅＮＢ１２２）にキャンプオンしている間、ＵＥ１１０は、ＭＯ呼を行うためにＭＳＣ１３４に接続されたＧＳＭ／ＵＭＴＳネットワークにフォールバックする必要があり得る。呼設定手順は３０２において開始し、ＵＥ１１０は、ＭＭＥ１２６に非アクセス層（ＮＡＳ）拡張サービス要求（ＥＳＲ）を送る。ＥＳＲは、ＣＳＦＢを実行することをＭＭＥ１２６に通知するＣＳＦＢインジケータを備え得る。ＥＳＲに応答して、ＭＭＥ１２６は、ＵＥ１１０がＧＳＭ／ＵＭＴＳネットワークに移動されるべきであることをｅＮＢ１２２に示し得る。
【００２８】
３０４において、ｅＮＢ１２２は、リダイレクション手順が実行され得るＣＳ  ＲＡＴ候補を判断するためにＵＥ１１０から測定報告を受信する。３０６において、ＬＴＥネットワークは、モビリティ手順（たとえば、リダイレクション、ハンドオーバ、またはネットワーク支援セル変更（ＮＡＣＣ））においてＵＥ１１０を支援する。たとえば、ＭＳＣ１３４とＭＭＥ１２６との間のインターフェースがダウンしている場合、ＬＴＥネットワークは、セット時間期間後に呼設定を再試行することをＵＥ１１０に通知し得る。いくつかの実施形態の場合、ｅＮＢ１２２は、ＵＥ１１０にＲＲＣメッセージを送ることによって、ＧＳＭセルへのＮＡＣＣを用いてＲＡＴ間セル変更順序をトリガし得る。ＲＡＴ間セル変更順序は、ＣＳＦＢ要求によりそのセル変更順序がトリガされることをＵＥ１１０に示すＣＳＦＢインジケータを含んでいることがある。
【００２９】
３０８において、ＵＥ１１０は、たとえば、ＮＡＣＣ情報を使用して、新しいＧＳＭセルに移動し、無線シグナリング接続を確立する。３１０において、ＵＥはＣＳ  ＭＯ呼を開始する。
【００３０】
図４に、本開示のいくつかの態様による、ＵＥ１１０がモバイル終端（ＭＴ）呼を受信するときの、ＣＳＦＢの例示的なコールフローを示す。動作は、図３で説明した動作と同様であり得るが、ＵＥ１１０は、４０２（たとえば、ＣＳサービス通知）において、ＧＳＭ／ＵＭＴＳページを受信した後に呼設定手順を開始する。たとえば、ＭＳＣ１３４は、着信音声呼を受信し、ＭＭＥ１２６にページング要求を送ることによって応答し得る。ｅＮＢ１２２は、ページングメッセージをＵＥ１１０にフォワーディングし得る。４０４において、ＵＥ１１０が、ＧＳＭ／ＵＭＴＳセルをサービスするＭＳＣ１３４に登録されると、ＭＳＣ１３４はＣＳ  ＭＴ呼を確立する。
【００３１】
回線交換フォールバックユーザエクスペリエンスを改善するシステムおよび方法
いくつかの実施形態の場合、ＵＥがＬＴＥネットワーク（たとえば、ＭＴ呼）にキャンプオンしている間にユーザが呼を受信すると、ＵＥは、接続モードページングメッセージ（たとえば、図４に示したＣＳサービス通知）を受信し得、ページングメッセージは、発呼者回線識別（ＣＬＩ）情報（たとえば、発呼者の数または名前）を備え得る。ページングメッセージを受信した後に、ＵＥは、図４に示したように、呼設定手順（すなわち、ＣＳＦＢ手順）を開始し得る。これは、ＵＥがすでにＬＴＥ接続状態にあり、ＬＴＥアイドル状態にないときのみに行われ得る。
【００３２】
いくつかの実施形態の場合、ページはＣＬＩ情報を搬送し得るが、ＵＥは、完了するのに約５秒以上かかり得るＣＳＦＢ手順をまだ開始していないので、ＣＬＩ情報はまだ表示され得ず、ＵＥはローカルリンギング／アラーティングをまだ開始し得ない。言い換えれば、ページングメッセージ中で受信されるＣＬＩ情報は、ＣＳＦＢ手順が完了する後まで表示され得ない。
【００３３】
しかしながら、いくつかの実施形態の場合、ＭＴ  ＣＳＦＢ呼は失敗し得る。たとえば、ＵＥは、ＬＴＥネットワーク（たとえば、Ｅ−ＵＴＲＡＮ）からＣＳ  ＲＡＴ（たとえば、ＵＴＲＡＮ／ＧＥＲＡＮ／１ｘＲＴＴ）に移動され得ない。別の例として、ＵＥは、ＬＴＥネットワークからＣＳ  ＲＡＴに移動され得るが、呼がそこで失敗し得る（すなわち、ＵＥにローカルリンギング／アラーティングがないことがある）。したがって、ユーザは、ＭＴ呼の発生またはＭＴ呼失敗に気づいていないことがある。
【００３４】
本開示のいくつかの実施形態の場合、ＵＥは、ＬＴＥ接続状態にある間、ページングメッセージを使用してページングされ、ページングメッセージがＣＬＩ情報を含んでいる場合、およびＭＴ  ＣＳＦＢ手順が何らかの理由で失敗した場合、ＵＥのユーザは不在呼の指示を与えられ得る。いくつかの実施形態の場合、その指示は不在呼のＣＬＩ情報を備え得る。したがって、ユーザは、試みられたＭＴ呼の発生に気づいていることがある。
【００３５】
図５に、本開示のいくつかの態様による、ＭＴ  ＣＳＦＢ呼の失敗時に不在呼の指示を与えることが可能な、ネットワーク５１０とＵＥ５２０とをもつ例示的なシステム５００を示す。図示のように、ＣＳＦＢ呼のページング要求を受信すると、ＵＥ５２０は、フォールバック要求を送信することによって呼設定手順を開始し得る。上記で説明したように、ページング要求は、ネットワーク５１０（図示せず）から受信され得る。フォールバック要求は、呼設定手順モジュール５２４によって生成され、送信機モジュール５２２を介してネットワーク５１０に送信され得る。
【００３６】
ネットワーク５１０は、受信機モジュール５１６を介してフォールバック要求を受信し得る。いくつかの実施形態の場合、ＭＴ  ＣＳＦＢ呼は失敗し得る。たとえば、ＵＥは、ＬＴＥネットワークからＣＳ  ＲＡＴに移動され得ない。ネットワーク５１０は、呼設定失敗の指示を送信し得る。呼設定失敗の指示は、メッセージ生成モジュール５１４によって生成され、送信機モジュール５１２を介してＵＥ５２０に送信され得る。ＵＥ５２０は、受信機モジュール５２６を介して呼設定失敗の指示を受信すると、呼設定手順が失敗したと判断し、その判断に基づいて不在呼の指示を与え得る。したがって、ユーザは、試みられたＭＴ呼の発生に気づいていることがある。
【００３７】
図６に、本開示のいくつかの態様による、ＭＴ  ＣＳＦＢ呼の失敗時に不在呼の指示を与えるための例示的な動作６００を示す。動作６００は、たとえば、第１および第２のＲＡＴを介して通信することが可能なＵＥによって実行され得る。６０２において、ＵＥは、第１のＲＡＴを介してサービスを受信する。たとえば、ＵＥはＬＴＥ接続状態にあり得る。
【００３８】
６０４において、ＵＥは、第１のＲＡＴを介して、ＵＥをターゲットにする呼のためのページングメッセージを受信し、ページングメッセージはＣＬＩ情報を備える。図１に関して上記で説明したように、ＭＳＣ１３４は、回線交換呼のルーティングを行い得る。たとえば、ＭＳＣ１３４は、呼を受信し、ＭＭＥ１２６にページングメッセージを送ることによって応答し得る。ｅＮＢ１２２は、ページングメッセージをＵＥ（たとえば、ＵＥ１１０）にフォワーディングし得る。第２のＲＡＴの例は、ＣＤＭＡ  ＲＡＴと、ＧＳＭ  ＲＡＴと、ＵＭＴＳ  ＲＡＴとを備える。
【００３９】
６０６において、ＵＥは、ページングメッセージを受信することに応答して呼設定手順を開始し、呼設定手順は、呼のために第１のＲＡＴのノードＢを離れること（第１のＲＡＴから第２のＲＡＴに遷移すること）を備える。図１を参照すると、ＵＥ１１０は、ＭＭＥ１２６にＮＡＳ  ＥＳＲを送ることによって呼設定手順を開始し得、ＮＡＳ  ＥＳＲは、ＣＳＦＢを実行することをＭＭＥ１２６に通知するＣＳＦＢインジケータを備える。
【００４０】
６０８において、ＵＥは、呼設定手順が失敗したと判断する。たとえば、ＵＥは、ＬＴＥネットワークからＣＳ  ＲＡＴに移動され得ない。別の例として、ＵＥはＬＴＥネットワークからＣＳ  ＲＡＴに移動され得るが、呼がそこで失敗し得る。
【００４１】
６１０において、ＵＥは、その判断に応答して不在呼の指示を与える。いくつかの実施形態の場合、ユーザは、ＣＬＩがない、不在呼の一般的な指示を受信し得る。いくつかの実施形態の場合、その指示は不在呼のＣＬＩ情報を備え得る。
【００４２】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００４３】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００４４】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００４５】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【００４６】
１つまたは複数の例示的な設計では、説明した機能は、ハードウェア、ソフトウェア、ファームウェア、またはそれらの組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００４７】
本開示の前述の説明は、いかなる当業者でも本開示を作成または使用することができるように提供される。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2013538536.tif 000003
【図２】
2013538536.tif 000004
【図３】
2013538536.tif 000005
【図４】
2013538536.tif 000006
【図５】
2013538536.tif 000007
【図６】
2013538536.tif 000008
【国際調査報告】
2013538536.tif 000009
2013538536.tif 000010
2013538536.tif 000011